(57)【要約】【課題】集塵装置のカップ部内の金属ごみを分別可能で、かつ、集塵装置を本体ケースに対して取り付けやすい電気掃除機を提供する。【解決手段】電気掃除機は、電動送風機を備えた本体ケースと、本体ケースに着脱される集塵装置27とを有する。本体ケースは、取付部と、磁性体とを備える。取付部は、所定方向側に開放して設けられる。磁性体は、取付部に位置して設けられる。集塵装置27は、カップ部51と、磁石57とを備える。カップ部51は、電動送風機の動作により吸い込んだ含塵空気から塵埃を内部で遠心分離する。カップ部51は、遠心分離された塵埃を内部に溜める。磁石57は、カップ部51に設けられる。磁石57は、カップ部51内の少なくとも一部に磁力を作用させるとともに、集塵装置27を取付部に取り付けた状態で磁性体と磁着される。【選択図】図１
2017086235.tif 000002
【特許請求の範囲】
【請求項１】
電動送風機を備えた本体ケースと、
この本体ケースに着脱される集塵装置とを具備し、
前記本体ケースは、
所定方向側に開放して設けられる取付部と、
この取付部に位置して設けられた磁性体とを備え、
前記集塵装置は、
前記電動送風機の動作により吸い込んだ含塵空気から塵埃を内部で遠心分離するとともに、この遠心分離された塵埃を内部に溜めるカップ部と、
このカップ部に設けられ、このカップ部内の少なくとも一部に磁力を作用させるとともに、前記集塵装置を前記取付部に取り付けた状態で前記磁性体と磁着される磁石とを備えている
ことを特徴とした電気掃除機。
【請求項２】
磁石は、カップ部に対して着脱自在に配置されている
ことを特徴とした請求項１記載の電気掃除機。
【請求項３】
磁性体は、磁力を変化可能であり、
カップ部は、前記磁性体の磁力を低下させた状態で本体ケースから取り外し可能となる
ことを特徴とした請求項１または２記載の電気掃除機。
【発明の詳細な説明】
【技術分野】
【０００１】
本発明の実施形態は、カップ部内の少なくとも一部に磁力を作用させる磁石を有する電気掃除機に関する。
【背景技術】
【０００２】
従来、例えば電動送風機に用いられる集塵装置として、含塵空気を内部で旋回させることにより塵埃を遠心分離(サイクロン分離)する、いわゆるサイクロン分離式のものが知られている。このようなサイクロン分離式の集塵装置は、有底円筒状のカップ部の内方に、円筒状の内筒部が同軸状に配置され、カップ部の内周面と内筒部の外周面との間に、電動送風機の駆動により吸い込んだ含塵空気を旋回させる風路を形成する遠心分離部を備えている。そして、風路を旋回した含塵空気から塵埃が遠心分離され、カップ部の内周面に沿って落下してカップ部の底部に溜められるとともに、この塵埃が分離された空気が、内筒部の周面に開口された開口部に配置されたフィルタを通過して下流側へと通過するようになっている。
【０００３】
このような集塵装置において、含塵空気中に例えばステープラ用の針や金属クリップなどの金属ごみ(鉄塵)が混じっているときに、その金属ごみを分別できることが望ましい。そこで、カップ部の外周面に磁石を設けて、遠心分離部で分離された塵埃中の金属ごみを吸い付けるとともに、廃棄の際には磁石をカップ部から離間させることで金属ごみを捨てられるようにした構成がある。そして、このような集塵装置を、本体ケースに対して容易に着脱できるようにすることが望まれる。
【先行技術文献】
【特許文献】
【０００４】
【特許文献１】特開２００５−１３４１６号公報
【発明の概要】
【発明が解決しようとする課題】
【０００５】
本発明が解決しようとする課題は、集塵装置のカップ部内の金属ごみを分別可能で、かつ、集塵装置を本体ケースに対して取り付けやすい電気掃除機を提供することである。
【課題を解決するための手段】
【０００６】
実施形態の電気掃除機は、電動送風機を備えた本体ケースと、この本体ケースに着脱される集塵装置とを有する。本体ケースは、取付部と、磁性体とを備える。取付部は、所定方向側に開放して設けられる。磁性体は、取付部に位置して設けられる。集塵装置は、カップ部と、磁石とを備える。カップ部は、電動送風機の動作により吸い込んだ含塵空気から塵埃を内部で遠心分離する。また、このカップ部は、遠心分離された塵埃を内部に溜める。磁石は、カップ部に設けられる。そして、この磁石は、カップ部内の少なくとも一部に磁力を作用させるとともに、集塵装置を取付部に取り付けた状態で磁性体と磁着される。
【図面の簡単な説明】
【０００７】
【図１】一実施形態の電気掃除機の集塵装置を示す斜視図である。
【図２】同上集塵装置を示す縦断面図である。
【図３】同上集塵装置の一部を拡大して示す斜視図である。
【図４】同上電気掃除機の本体ケースを示す斜視図である。
【図５】同上電気掃除機を示す斜視図である。
【発明を実施するための形態】
【０００８】
以下、一実施形態の構成を図１ないし図５を参照して説明する。
【０００９】
図５において、11はいわゆるキャニスタ型の電気掃除機を示し、この電気掃除機11は、風路形成体である管部12と、この管部12が着脱可能に接続される掃除機本体13とを有している。
【００１０】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側などに着脱可能に接続される吸込口体としての床ブラシ19とを備えている。
【００１１】
手元操作部17には、例えばループ状の把持部21がホース体16側へと突出し、この把持部21の上部には、操作設定用の操作部である設定ボタン22が複数設けられている。
【００１２】
また、掃除機本体13は、大径の走行輪23を両側に有し図示しない旋回輪などを下部に有する本体ケース26を備え、この本体ケース26の外部である上部には、集塵カップである集塵装置27が着脱可能となっている。そして、掃除機本体13は、走行輪23および旋回輪によって被掃除面としての床面上を少なくとも前後方向に沿って走行(移動)可能に構成されている。なお、以下、前後方向および左右方向は、掃除機本体13(本体ケース26)の走行(移動)方向を基準とする。
【００１３】
本体ケース26は、例えば合成樹脂などにより形成されており、集塵装置27の後方に位置する本体部31と、この本体部31の前部下側に突設されて集塵装置27の下部を支持する集塵装置支持部としての突出受部32とを一体的に有している。したがって、本体ケース26の前部は、この本体ケース26の前部に開放した取付部33となっている。そして、本体ケース26の内部には、これら本体部31と突出受部32とに亘って、側面視でＬ字状に屈曲した図示しない本体風路部が配置されている。
【００１４】
本体部31の両側には、走行輪23がそれぞれ回転自在に軸支されている。また、この本体部31の前部の上側には、掃除機本体13(本体ケース26)を把持するための例えばループ状のハンドル34が後方に向けて傾斜状に突設されている。また、この本体部31の内部には、電動送風機35、この電動送風機35の動作を制御する図示しない制御手段としての制御回路部、および、電動送風機35などに給電可能なコードリール装置、あるいは電池などの電源部が収容されている。
【００１５】
また、図４に示すように、本体部31の集塵装置27に対向する前部には、電動送風機35の吸込側に連通し本体ケース26に装着された集塵装置27(図１)の下流側に気密に接続される吸気開口部36と、集塵装置27の上流側に気密に接続される連通開口部37とが上下に位置して形成されているとともに、集塵装置27を本体ケース26に保持するための磁性体38が配置されている。そして、この本体部31の後部には、電動送風機35の排気を本体ケース26の外部へと排出する図示しない複数の排気孔が形成されている。
【００１６】
磁性体38は、四角形状に形成されており、例えば連通開口部37の下方(突出受部32の上方)に配置されている。この磁性体38は、本実施形態では、例えば電源部からの給電により磁力を生じさせる電磁石とするが、例えば金属でもよいし、永久磁石などでもよい。また、この磁性体38は、例えば設定ボタン22(図５)の操作、あるいは別途のボタンなどの操作部の操作により、電源部からの電流を可変(低減)させて磁力を可変させる(低減させる)ことが可能である。さらに、この磁性体38は、取付部33側から作用する磁力に対して吸着可能であれば、本体部31の前部にて取付部33に露出していてもよいし、本体ケース26(本体部31)を構成する合成樹脂などにより覆われていてもよい。
【００１７】
突出受部32の前面には、管部12の接続管部15(図５)が接続される本体吸込口40が形成されており、この本体吸込口40が本体風路部の上流端の開口となっている。したがって、この本体吸込口40は、本体風路部を介して連通開口部37と連通し、この連通開口部37を介して集塵装置27(図１)の上流側と連通可能となっている。
【００１８】
取付部33は、後部が本体部31により区画され、下部が突出受部32により区画されて、本体ケース26の前部および上部に開放された空間部である。すなわち、取付部33の前方および上方には、本体ケース26を構成する部分が配置されておらず、集塵装置27がこの取付部33に対して前方上側から取り付けられるようになっている。換言すれば、本体ケース26(取付部33)に取り付けられた集塵装置27が掃除機本体13の最前部に位置して掃除機本体13の前部に露出するように構成されている。
【００１９】
図５に示す電動送風機35は、設定ボタン22の操作に応じて、制御回路部により動作が制御されるものである。
【００２０】
一方、図２に示す集塵装置27は、風路的に、含塵空気が導入される導入口42と、この導入口42と連通する遠心分離部としての第１分離部(第１遠心分離部)43と、この第１分離部43を通過した空気を導く導風部44と、この導風部44と連通する下流側遠心分離部(細塵遠心分離部)としての複数の第２分離部(第２遠心分離部)45と、この第２分離部45を通過した空気を導く風路部46と、この風路部46の下流端を構成し空気が排出される排出口47とを備えている。そして、集塵装置27は、導入口42から導入された含塵空気から第１分離部43によって比較的大きい塵埃である粗塵と比較的小さい塵埃である細塵の一部とを分離し、この第１分離部43を通過した含塵空気を導風部44により各第２分離部45へと略均等に分散して導き、各第２分離部45によって残りの細塵を分離し、塵埃が分離された空気を、風路部46から排出口47を介して外部(電動送風機35の吸込側)へと排出するようになっている。
【００２１】
また、集塵装置27は、構造的に、第１本体部としての有底円筒状のカップ部51と、第２本体部としての分離本体部52とを着脱可能に備えている。そして、この集塵装置27は、本体ケース26に対して装着した状態で後側が本体部31の前部に嵌合して固定される。なお、以下、集塵装置27において、上下方向とは、集塵装置27の軸方向における一端側と他端側(図２中の一点鎖線Ｌの一端側である上側と他端側である下側)とをいうものとする。すなわち、集塵装置27における上下方向は、集塵装置27単体の状態での上下方向を基準とするものとし、本体ケース26に対して装着した状態での集塵装置27の上下方向とは必ずしも一致しない場合もある。
【００２２】
カップ部51は、有底円筒状のカップ本体部54と、このカップ本体部54の一端部である上端部に連続する区画部55とを一体的に備えている。また、このカップ部51には、磁石取付部56が設けられており、この磁石取付部56に磁石57が着脱可能となっている。
【００２３】
カップ本体部54は、例えば透光性を有する(透明な)合成樹脂などの部材により形成されており、内部に区画される塵埃溜め部としての第１集塵部61を外部から目視可能となっている。また、このカップ本体部54の後部には、導入口42を区画する角筒状の導入口区画部62が突設されている。さらに、このカップ本体部54の外部には、集塵装置27(カップ部51)を把持するための集塵装置取手部63(図１)が突設されている。
【００２４】
第１集塵部61は、第１分離部43で分離された粗塵を主として溜めるとともに、この粗塵に絡み付いた細塵の一部を溜めるものである。この第１集塵部61は、カップ部51内の下側に位置している。
【００２５】
区画部55は、カップ本体部54に対して拡径されている。また、この区画部55は、上端側の内周にカップ部51内の塵埃を廃棄するための塵埃廃棄口65を区画している。そして、この区画部55は、カップ部51に取り付けられた分離本体部52側が内部に圧接されることで、各第２分離部45で分離された細塵を溜める第２集塵部66を分離本体部52との間で区画可能である。すなわち、この第２集塵部66は、第１分離部43の上側の周囲で、かつ、集塵装置27内を通過する空気の流路の外方に位置している。そして、この第２集塵部66は、分離本体部52をカップ部51から取り外すことで第１集塵部61と連通し、内部に溜めた細塵を第１集塵部61へと落下させるようになっている。
【００２６】
磁石取付部56は、カップ部51(カップ本体部54)の本体ケース26の本体部31(図４)に対向する後部にて導入口42(導入口区画部62)の下方(直下)に位置して設けられている。すなわち、この磁石取付部56は、第１集塵部61の周囲に位置して設けられている。この磁石取付部56は、四角形状に窪んで設けられている。また、この磁石取付部56には、磁石57を保持するための保持部である保持爪68が設けられている。これら保持爪68は、カップ部51(カップ本体部54)の外周面から磁石取付部56の内方に向かって突設されており、本実施形態では例えば磁石取付部56の下側の両側部および下部に配置されている。
【００２７】
磁石57は、例えばネオジム磁石などの強力な吸着力を有するもので、カップ部51内の少なくとも一部、例えば第１集塵部61内に磁力を作用させて、この第１集塵部61内に溜められた塵埃中の金属ごみ(例えばステープラ用の針など)をカップ部51(カップ本体部54)の内面(内周面)51aに吸着して塵埃から分離するようになっている。また、この磁石57は、集塵装置27を本体ケース26の取付部33(図４)に取り付けたときに、磁性体38(図４)と吸着されて集塵装置27を本体ケース26(図４)に対して保持するものである。この磁石57は、磁石保持体69により保持され、カップ部51(カップ本体部54)に対して着脱自在となっている。磁石保持体69は、例えば合成樹脂などにより形成されており、磁石57を内部に保持するとともに、磁石取付部56に嵌合して保持爪68により磁石取付部56の内部に保持される。また、この磁石保持体69には、カップ部51(カップ本体部54)に対する磁石57の着脱の際に摘む摘み部69aが突設されている。さらに、保持爪68および摘み部69aは、集塵装置27を図４に示す本体ケース26に取り付けた状態で、この本体ケース26の本体部31の前部にて磁性体38の周囲に凹設された凹部70にそれぞれ挿入されるようになっている。これら保持爪68および摘み部69a(図３)の凹部70への挿入により集塵装置27(図５)が本体ケース26に装着する際に位置決めがされるように構成されている。
【００２８】
一方、図２に示す分離本体部52は、カップ部51の内部に挿入されてカップ部51との間に第１分離部43を構成する挿入部71と、この挿入部71の上部に位置し導風部44、第２分離部45および風路部46を内部に構成する本体72と、この本体72の下端部から挿入部71の周囲の位置で下方に向けて突出する壁部73とを有している。
【００２９】
挿入部71は、略円筒状の円筒部としての内筒部75と、この内筒部75の下端側に同軸状に配置されこの内筒部75に対して着脱可能な圧縮部である合成樹脂製のシェード部76とを備えている。そして、この第１分離部43は、カップ部51に分離本体部52を取り付けた状態でカップ部51のカップ本体部54内の中央部にこのカップ部51と同軸状に配置され、上下方向に沿って軸方向を有している。
【００３０】
内筒部75は、導風部44へと連通する開口77を周方向に複数備えており、これら開口77全体が例えばメッシュ状の分離フィルタ78によって覆われている。また、この内筒部75の外面(外周面)は、分離本体部52をカップ部51に取り付けた状態でカップ部51(カップ本体部54)の内面(内周面)51aとの間に、含塵空気を旋回させる風路79を区画する。
【００３１】
風路79は、カップ部51内の上側に位置している。すなわち、この風路79は、第１集塵部61よりも上方に位置している。
【００３２】
シェード部76は、カップ部51(カップ本体部54)内を上側の風路79と、下側の第１集塵部61とに上下に区画するとともに、電動送風機35の駆動により生じる負圧を利用して塵埃を圧縮するもので、下側に開口するように設けられている。
【００３３】
また、図２に示す本体72は、導風部44を区画する区画壁部81と、第２分離部45を区画する分離部区画部82と、風路部46を区画する風路部区画部83とを備えている。
【００３４】
区画壁部81は、第２分離部45(分離部区画部82)の内方、すなわち径方向の中心側に位置している。すなわち、導風部44は、第２分離部45の内方に位置している。そして、この区画壁部81は、下端側から上端側へと縮径して形成されており、導風部44の風路面積を上流側から下流側へと絞るようになっている。
【００３５】
分離部区画部82は、第２分離部45の下端側を構成するコーン部85と、第２分離部45の上端側を構成する旋回部86とを備えている。
【００３６】
コーン部85は、上下方向に沿って軸方向を有し、上端側から下端側へと縮径する円筒状(截頭円錐状)に形成されている。
【００３７】
旋回部86は、コーン部85の上端部を覆って設けられている。この旋回部86は、コーン部85内へと含塵空気を導入する部分であり、それぞれ導風部44に対して並列に接続される。また、旋回部86の中心軸には、細長い円筒状の排気部87が一体に設けられている。この排気部87は、コーン部85内と連通して風路部区画部83と連結され、第２分離部45からの排気を風路部46へと排出するように構成されている。
【００３８】
そして、分離部区画部82は、分離本体部52の中心軸を中心としこの中心軸と交差(直交)する平面上に位置する例えばＣ字状の仮想的な円弧上に中心軸を位置させてそれぞれ配置されている。したがって、第２分離部45は、後部の左右方向の中心領域を除く位置に円弧状に配置されている。
【００３９】
風路部区画部83は、分離部区画部82の上方から区画壁部81の内方へと延びており、この区画壁部81と略二重管構造となっている。そのため、導風部44の内方に風路部46の一部が区画されている。また、この風路部区画部83は、後端側が後方に向けて筒状に形成され、最後部に位置する分離部区画部82，82間(第２分離部45，45間)から露出する後端部が排出口47となっている。
【００４０】
壁部73は、外側へと下方に向けて傾斜し、上部がコーン部85の下端部に対向している。この壁部73の先端部には、シール部材88が取り付けられている。このシール部材88は、分離本体部52をカップ部51に取り付けた状態で区画部55に圧接されて第２集塵部66を円周状(円弧状)に区画するようになっている。
【００４１】
次に、上記一実施形態による掃除動作を図１ないし図５を参照して説明する。
【００４２】
掃除を開始する際には、組み立てた集塵装置27を本体ケース26に装着する。集塵装置27の組み立ての際には、カップ部51に対して分離本体部52および磁石57を取り付ける。分離本体部52は、カップ部51の上方から塵埃廃棄口65へと挿入部71および壁部73を挿入するようにカップ部51に取り付ける。また、磁石57は、磁石保持体69の摘み部69aを摘み、カップ部51の磁石取付部56の保持爪68よりも上方の位置に傾斜状などに挿入した後、この磁石取付部56内で磁石保持体69を下方へとスライドさせ、保持爪68によって磁石保持体69をカップ部51(磁石取付部58)に係止保持することにより、カップ部51に対して取り付ける。
【００４３】
そして、組み立てた集塵装置27を本体ケース26の取付部33に対して前方上側から突出受部32に載置すると、磁石57が磁性体38と吸着され、保持爪68が凹部70にそれぞれ挿入されて、集塵装置27が本体ケース26に対して位置決めされた状態で保持される。このとき、使用者が例えば手元操作部17の設定ボタン22を操作したり、別途のボタンなどの操作部を操作したりすることにより、磁性体38の磁力を相対的に大きくすることで、集塵装置27が本体ケース26に対して確実に保持される。この結果、導入口42および排出口47が本体ケース26の連通開口部37および吸気開口部36とそれぞれ気密に接続され、集塵装置27が電動送風機35の吸込側と本体吸込口40との間に気密に接続された状態で本体ケース26に装着される。すなわち、集塵装置27は、軸方向を上下方向に沿わせた状態で位置する。なお、集塵装置27が本体ケース26に既に装着された状態である場合には、これらの操作は不要である。
【００４４】
この状態で、掃除機本体13(本体ケース26)の本体吸込口40に管部12を接続する。具体的に、管部12は、接続管部15を本体吸込口40に挿入接続するとともに、必要に応じて、手元操作部17の先端側に延長管18および床ブラシ19を順次接続する。この状態で、手元操作部17の設定ボタン22が掃除機本体13(本体ケース26)内の制御回路部などと電気的に接続される。なお、管部12が掃除機本体13に既に接続された状態である場合には、これらの操作は不要である。
【００４５】
そして、使用者は、コード導出口から電源コードを引き出して壁面などのコンセントに接続した後、把持部21を把持し、所望の設定ボタン22を操作することにより、電動送風機35の動作モードを設定する。制御回路部は、この設定された動作モードに対応して電動送風機35の入力を制御し、電動送風機35を設定された動作モードで起動する。
【００４６】
この電動送風機35の起動により生じた負圧は、吸気開口部36、排出口47、風路部46、第２分離部45、導風部44、第１分離部43、第１集塵部61、導入口42、連通開口部37、本体風路部および本体吸込口40を介して、管部12へと作用する。
【００４７】
そして、使用者は、この負圧の作用により、床ブラシ19、延長管18、あるいは手元操作部17の先端側から空気とともに塵埃を吸い込む。
【００４８】
この塵埃を含む空気、すなわち含塵空気は、管部12から本体吸込口40、本体風路部および連通開口部37を経由して導入口42へと導かれ、この導入口42から集塵装置27のカップ部51のカップ本体部54内へと吸い込まれる。
【００４９】
このカップ本体部54では、含塵空気は風路79を旋回することで、この含塵空気中の特に粗塵が遠心分離され、カップ部51の内面51aに沿って落下して第１集塵部61に溜められる。なお、この粗塵は、風路79からシェード部76へと、含塵空気の流れの一部によって運ばれ、シェード部76内で圧縮される。また、この第１集塵部61に溜められた塵埃中に含まれる金属ごみは、磁石57の吸着力によってカップ部51(カップ本体部54)の内面51aにて磁石57と対向する位置に吸着されて他の塵埃と分別される。
【００５０】
主として粗塵が分離された含塵空気は、内筒部75の開口77を通過する際に分離フィルタ78により濾過される。さらに、この分離フィルタ78を通過した含塵空気は導風部44へと運ばれる。そして、この含塵空気は、この導風部44において、徐々に流量が絞られて整流された後、各第２分離部45内へとそれぞれ分岐されて流入する。
【００５１】
これら第２分離部45において、含塵空気は、内周面に沿って旋回され、この含塵空気中の細塵が遠心分離され、コーン部85に沿って落下し、壁部73の傾斜により第２集塵部66へと導かれて溜められる。
【００５２】
そして、細塵が遠心分離された実質的に塵埃を含まない空気は、各第２分離部45の中央部から風路部46へと排気されて合流し、この風路部46によって流量が絞られつつ後方へと導かれて、排出口47から集塵装置27の外部へと排気される。
【００５３】
この後、この空気は、吸気開口部36を通過した後、電動送風機35へと吸い込まれ、この電動送風機35の内部を冷却しつつ通過して排気風となり、電動送風機35から排気孔を介して本体ケース26の外部へと排気される。
【００５４】
掃除が終了すると、使用者が所定の設定ボタン22を操作することで、制御回路部が電動送風機35の入力を低下させて電動送風機35を停止させる。
【００５５】
このとき、集塵装置27は、掃除が終了する度に本体ケース26から取り外し可能とする場合には、この電動送風機35の停止時、あるいは停止後所定の短時間経過したときなどに、磁性体38の磁力を相対的に小さくすることで、磁性体38と磁石57との吸着を解除あるいは弱め、集塵装置27を本体ケース26から取り外し可能とする。一方、集塵装置27内に一定量の塵埃が溜まったときに集塵装置27を本体ケース26から取り外すようにする場合には、例えば使用者が例えば手元操作部17の設定ボタン22あるいは別途のボタンなどの操作部を操作することにより、または塵埃量を検出するセンサによりカップ部51内に所定量以上の塵埃が溜まったことを検出したときに自動的に、磁性体38の磁力を相対的に小さくすることで、磁性体38と磁石57との吸着を解除あるいは弱め、集塵装置27を本体ケース26から取り外し可能とする。
【００５６】
そして、本体ケース26から取り外した集塵装置27は、分離本体部52をカップ部51から取り外す。この結果、シール部材88の区画部55への密着が解除され、第２集塵部66に溜められた細塵が、カップ本体部54の内部の第１集塵部61へと落下移動し、この第１集塵部61内に溜められた粗塵の上側に降りかかってこの粗塵と混ざる。
【００５７】
この後、使用者は、集塵装置取手部63を把持してカップ部51をごみ箱などの廃棄位置へと運んだ後、上側を下方へと傾けるようにひっくり返すことで、カップ部51に圧縮された状態で溜まった粗塵およびこの粗塵と混ざった細塵が塵埃廃棄口65から同時にまとめて廃棄される。
【００５８】
また、磁石57によってカップ部51の内面51aに吸着された金属ごみは、所定の廃棄位置において磁石57をカップ部51から取り外すことで廃棄される。このとき、使用者は、摘み部69aを摘んで磁石保持体69を磁石取付部56内で上方にスライドさせて保持爪68の係合を外し、磁石取付部56から磁石保持体69を取り外すことで、磁石57をカップ部51から取り外すことができる。
【００５９】
以上説明した一実施形態によれば、第１集塵部61内に磁力を作用させる磁石57を、集塵装置27を本体ケース26の所定方向側、本実施形態では前部に開放して設けられた取付部33に取り付けた状態で磁性体38と磁着させることにより、磁石57の磁力によって集塵装置27のカップ部51内の金属ごみを分別可能で、かつ、例えばＬ字状の係合爪などを本体ケース26側に引っ掛ける構成などが不要で、集塵装置27を本体ケース26に対して取り付けやすく、集塵装置27の構成も簡略化できる。
【００６０】
磁石57をカップ部51に対して着脱自在とすることで、磁石57をカップ部51に装着することにより第１集塵部61に溜められた塵埃から分別した金属ごみを廃棄する際に磁石57をカップ部51から取り外すことで、金属ごみのカップ部51への吸着力をなくして容易に排気可能となる。
【００６１】
磁性体38の磁力を変化させることができるので、磁性体38の磁力を相対的に大きくした状態で集塵装置27を本体ケース26に保持して集塵装置27の本体ケース26からの外れを防止でき、磁性体38の磁力を相対的に低下させた状態で集塵装置27を本体ケース26から取り外すことができる。
【００６２】
また、塵埃は重力によりカップ部51の下方の第１集塵部61に溜める構成となるため、集塵装置27の上部に導入口42を配置し、その下方に磁石57を配置することにより、余計なスペースが不要となり、集塵装置27をコンパクトに構成できる。
【００６３】
なお、上記一実施形態において、第２分離部45は、含塵空気から細塵を濾過するフィルタなどでもよいし、第１分離部43および分離フィルタ78で粗塵および細塵を確実に分離できれば、設けなくてもよい。
【００６４】
また、本体ケース26の取付部33は、前部に開放したが、例えば上部や前部上側など、その他の所定方向側に開放する構成などとしてもよい。
【００６５】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６６】
11    電気掃除機
26    本体ケース
27    集塵装置
33    取付部
35    電動送風機
38    磁性体
51    カップ部
57    磁石
【図１】
2017086235.tif 000003
【図２】
2017086235.tif 000004
【図３】
2017086235.tif 000005
【図４】
2017086235.tif 000006
【図５】
2017086235.tif 000007